(57)【要約】【課題】固定的割り当てスケジューリングと通常のスケジューリングとが併用された場合に、固定的割り当てスケジューリングが行われている場合であっても再送制御処理を行う。【解決手段】本発明に係る基地局は、所定のタイミングでデータを送信する固定的割り当てスケジューリングを行うように構成されているスケジューリング手段と、所定の移動局に対して、スケジューリング情報を生成して通知するように構成されているスケジューリング情報生成手段とを具備し、前記スケジューリング情報は、前記固定的割り当てスケジューリングにおいて前記所定のタイミングで前記所定の移動局に対して割り当てられる無線リソースを示すリソース割り当て情報を含む。【選択図】図５
2011199911.tif 000002
【特許請求の範囲】
【請求項１】
所定のタイミングでデータを送信する固定的割り当てスケジューリングを行うように構成されているスケジューリング手段と、前記固定的割り当てスケジューリングが行われている場合に、所定の移動局に対して、スケジューリング情報を生成して通知するように構成されているスケジューリング情報生成手段とを具備し、前記スケジューリング情報は、前記固定的割り当てスケジューリングにおいて前記所定のタイミングで前記所定の移動局に対して割り当てられる無線リソースを示すリソース割り当て情報を含むことを特徴とする基地局。
【請求項２】
前記固定的割り当てスケジューリングが行われている場合に、前記データに対して再送制御処理を行うように構成されている再送制御手段を具備することを特徴とする請求項１に記載の基地局。
【請求項３】
前記再送制御手段は、前記データの初送のタイミングから一定時間が経過した後の任意のタイミングで、該データの再送用の無線リソースを割り当てるように構成されていることを特徴とする請求項２に記載の基地局。
【請求項４】
前記スケジューリング情報生成手段は、前記固定的割り当てスケジューリングが行われている場合に、前記データの再送が行われる毎に、前記所定の移動局に対して、前記スケジューリング情報を生成して通知するように構成されていることを特徴とする請求項２に記載の基地局。
【請求項５】
所定のタイミングでデータを送信する固定的割り当てスケジューリングを行うように構成されているスケジューリング手段と、前記固定的割り当てスケジューリングが行われる場合に、前記所定の移動局に対して、前記データを送信するＨＡＲＱにおけるプロセスを特定するプロセスナンバーを決定するように構成されているプロセスナンバー決定手段と、決定された前記プロセスナンバーを前記所定の移動局に対して通知するように構成されている通知手段とを具備することを特徴とする基地局。
【請求項６】
前記通知手段は、ＲＲＣシグナリングにより、決定された前記プロセスナンバーを前記所定の移動局に対して通知するように構成されていることを特徴とする請求項５に記載の基地局。
【請求項７】
前記通知手段は、ＭＡＣ  ｃｏｎｔｒｏｌ  ＰＤＵにより、決定された前記プロセスナンバーを前記所定の移動局に対して通知するように構成されていることを特徴とする請求項５に記載の基地局。
【請求項８】
前記通知手段は、スケジューリング情報により、決定された前記プロセスナンバーを前記所定の移動局に対して通知するように構成されており、
前記スケジューリング情報は、前記固定的割り当てスケジューリングが行われている場合に、所定の移動局に対して通知されるように構成されていることを特徴とする請求項５に記載の基地局。
【請求項９】
前記通知手段は、前記固定的割り当てスケジューリングが開始される場合に、前記プロセスナンバーを前記所定の移動局に対して通知するように構成されていることを特徴とする請求項５に記載の基地局。
【請求項１０】
前記リソース割り当て情報は、前記所定のタイミングで前記所定の移動局に対して固定的に割り当てられる下りリンクにおける無線リソースを示すことを特徴とする請求項１に記載の基地局。
【請求項１１】
前記リソース割り当て情報は、前記所定のタイミングで前記所定の移動局に対して固定的に割り当てられる上りリンクにおける無線リソースを示すことを特徴とする請求項１に記載の基地局。
【請求項１２】
移動局であって、固定的割り当てスケジューリングが行われている場合に、基地局から送信されたスケジューリング情報を復号するように構成されているスケジューリング情報復号手段と、前記スケジューリング情報の復号結果に基づいて、所定のタイミングで前記基地局から送信された前記移動局宛ての下りリンクデータを受信するように構成されている受信手段とを具備し、前記スケジューリング情報は、前記固定的割り当てスケジューリングにおいて前記所定
のタイミングで前記移動局に対して固定的に割り当てられる無線リソースを示すリソース割り当て情報を含むことを特徴とする移動局。
【請求項１３】
前記スケジューリング情報は、前記固定的割り当てスケジューリングが行われている場合に、前記移動局に対して前記下りリンクデータを送信するＨＡＲＱにおけるプロセスを特定するプロセスナンバーを含み、前記受信手段は、前記固定的割り当てスケジューリングが行われている場合に、前記プロセスナンバーに基づいて、再送された前記下りリンクデータを検出するように構成され
ていることを特徴とする請求項１２に記載の移動局。
【請求項１４】
誤りが検出された初送時の前記下りリンクデータと、再送された前記下りリンクデータとを合成するように構成されている合成手段を具備することを特徴とする請求項１２に記載の移動局。
【請求項１５】
移動局であって、固定的割り当てスケジューリングが行われている場合に、基地局から送信されたスケジューリング情報を復号するように構成されているスケジューリング情報復号手段と、前記スケジューリング情報の復号結果に基づいて、所定のタイミングで前記基地局に対して上りリンクデータを送信するように構成されている送信手段とを具備し、前記スケジューリング情報は、前記固定的割り当てスケジューリングにおいて前記所定のタイミングで前記移動局に対して固定的に割り当てられる無線リソースを示すリソース割り当て情報を含むことを特徴とする移動局。
【請求項１６】
基地局と所定の移動局との間で、所定のタイミングでデータを送信する固定的割り当てスケジューリングを行う工程と、前記基地局が、前記所定の移動局に対して、スケジューリング情報を生成して通知する工程と、前記所定の移動局が、前記基地局から通知された前記スケジューリング情報を復号する工程と、
前記所定の移動局が、前記スケジューリング情報の復号結果に基づいて、前記所定のタイミングで前記基地局との間で前記データの送受信を行う工程とを有し、前記スケジューリング情報は、前記固定的割り当てスケジューリングにおいて前記所定のタイミングで前記所定の移動局に対して固定的に割り当てられる無線リソースを示すリソース割り当て情報を含むことを特徴とする通信制御方法。
【発明の詳細な説明】
【技術分野】
【０００１】
本発明は、移動局、基地局及び通信制御方法に関する。
【背景技術】
【０００２】
リアルタイムサービスにおいて、アプリケーションの特徴、例えば、ＶｏＩＰ（Ｖｏｉｃｅ  ｏｖｅｒ  Ｉｎｔｅｒｎｅｔ  Ｐｒｏｔｏｃｏｌ）の特徴等は、各無線ベアラ（ＲＢ：Ｒａｄｉｏ  ｂｅａｒｅｒ）に対して、ＱｏＳ関連の属性（ａｔｔｒｉｂｕｔｅ）としてマッピングされる。
【０００３】
ここで、無線ベアラは、基地局と移動局との間で送信されるデータ（パケット）に対してＱｏＳを提供する論理的なチャネルを示す。
【０００４】
したがって、ＭＡＣ層は、アプリケーション種別の推定を行わないものと仮定される。
【０００５】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）では、ＴＴＩ（Ｔｒａｎｓｍｉｓｓｉｏｎ  Ｔｉｍｅ  Ｉｎｔｅｒｖａｌ）毎に、ＨＳ-ＳＣＣＨ（Ｈｉｇｈ  Ｓｐｅｅｄ  -  Ｓｈａｒｅｄ  Ｃｏｎｔｒｏｌ  Ｃｈａｎｎｅｌ）により、移動局に対して、当該移動局宛ての下りリンクデータに対する送信機会の割り当てを通知するように構成されている。
【０００６】
しかし、音声等の特徴のあるトラヒックでは、例えば、数十ｍｓに１回、データが送信されるので、ＨＳ-ＳＣＣＨ相当のチャネルで、かかるデータに対する送信機会の割り当てを通知するようにした場合、シグナリングチャネルのオーバヘッドが大きくなり、効率的ではない。
【０００７】
そこで、ｅｖｏｌｖｅｄ  ＵＴＲＡの標準化では、アプリケーションの特徴に応じて、一定周期毎に、当該アプリケーション用のデータに対して送信機会を割り当てる「固定的割り当てスケジューリング（ｐｅｒｓｉｓｔｅｎｔ  ｓｃｈｅｄｕｌｉｎｇ）」、すなわち、所定のタイミングで、当該アプリケーション用のデータを送信する「固定的割り当てスケジューリング」が提案されている（例えば、非特許文献１、２及び３参照）。
【０００８】
例えば、固定的割り当てスケジューリングでは、無線ベアラの属性として、固定的割り当てスケジューリングの適用可否、すなわち、固定的割り当てスケジューリングが行われる期間（固定的割り当てスケジューリング期間）が設定される。
【０００９】
固定的割り当てスケジューリング期間との単位は、例えば、フレーム単位（Ｎ×１０ｍｓｅｃ：Ｎは、Ｎ＞０の整数）である。
【００１０】
固定的割り当てスケジューリング期間が「０」である場合には、かかる無線ベアラでは、固定的割り当てスケジューリングは適用されない。
【００１１】
また、かかる固定的割り当てスケジューリングと、ＴＴＩ毎に無線チャネル状態の良い移動局に対してデータの送信機会の割り当てを行うスケジューリング（通常スケジューリングと呼ぶ）とを併用することが提案されている。
【００１２】
しかしながら、固定的割り当てスケジューリングが行われる場合には、再送制御処理として、非同期ＨＡＲＱを適用することは提案されていない。 
【００１３】
また、従来の固定的割り当てスケジューリングでは、各移動局は、特定の無線ベアラを用いて通信を行っている期間中は、かかる無線ベアラの設定時に固定的に割り当てられた無線リソースを用いるように構成されており、固定的割り当てスケジューリング期間毎に、当該移動局に対して固定的に割り当てられる無線リソースを変更することができないという問題点があった。
【非特許文献１】Ｅｒｉｃｓｓｏｎ，  Ｒ１−０６００９９，  “Ｐｅｒｓｉｓｔｅ  ｎｔ  Ｓｃｈｅｄｕｌｉｎｇ  ｆｏｒ  Ｅ−ＵＴＲＡ”，  ＴＳＧ−ＲＡＮ  ＷＧ１  ＬＴＥ  ＡｄＨｏｃ，  Ｈｅｌｓｉｎｋｉ，  Ｆｉｎｌａｎｄ，  Ｊａｎｕａｒｙ  ２３−２５，  ２００６
【非特許文献２】ＱＵＡＬＣＯＭＭ  Ｅｕｒｏｐｅ，  Ｒ１−０６０１７３，  “Ｃｏｎｓｉｄｅｒａｔｉｏｎｓ  ｆｏｒ  ｃｏｎｔｒｏｌ  ｓｉｇｎａｌｌｉｎｇ  ｓｕｐｐｏｒｔ  ｏｆ  Ｒｅａｌ  Ｔｉｍｅ  Ｓｅｒｖｉｃｅｓ”，  ３ＧＰＰ  ＴＳＧ−ＲＡＮ  ＷＧ１  ＬＴＥ  ＡｄＨｏｃ，  Ｈｅｌｓｉｎｋｉ，  Ｆｉｎｌａｎｄ，  Ｊａｎｕａｒｙ  ２３−２５，  ２００６
【非特許文献３】Ｑｕａｌｃｏｍｍ  Ｅｕｒｏｐｅ，  Ｒ２−０６０５５０，  “Ｆｕｒｔｈｅｒ  ｄｅｔａｉｌｓ  ｏｎ  ＨＳ−ＳＣＣＨ−ｌｅｓｓ  ｏｐｅｒａｔｉｏｎ  ｆｏｒ  ＶｏＩＰ  ｔｒａｆｆｉｃ”，  ３ＧＰＰ  ＴＳＧ−ＲＡＮ  ＷＧ２    ｍｅｅｔｉｎｇ  ＃５１，  Ｄｅｎｖｅｒ，  Ｃｏｌｏｒａｄｏ，  ＵＳＡ，  Ｆｅｂｒｕａｒｙ  １３−１７，  ２００６
【発明の概要】
【００１４】
そこで、本発明は、以上の点に鑑みてなされたもので、固定的割り当てスケジューリングと通常のスケジューリングとが併用された場合に、固定的割り当てスケジューリングが行われている場合であっても再送制御処理を行うことができる移動局、基地局及び通信制御方法を提供することを目的とする。
【００１５】
また、本発明は、固定的割り当てスケジューリング期間毎に、当該移動局に対して固定的に割り当てられる無線リソースを変更することができる移動局、基地局及び通信制御方法を提供することを目的とする。
【発明が解決しようとする課題】
【００１６】
本発明の第1の特徴は、基地局であって、所定のタイミングでデータを送信する固定的割り当てスケジューリングを行うように構成されているスケジューリング手段と、前記固定的割り当てスケジューリングが行われている場合に、所定の移動局に対して、スケジューリング情報を生成して通知するように構成されているスケジューリング情報生成手段とを具備し、前記スケジューリング情報は、前記固定的割り当てスケジューリングにおいて前記所定のタイミングで前記所定の移動局に対して割り当てられる無線リソースを示すリソース割り当て情報を含むことを要旨とする。
【００１７】
本発明の第1の特徴において、前記固定的割り当てスケジューリングが行われている場合に、前記データに対して再送制御処理を行うように構成されている再送制御手段を具備してもよい。
【００１８】
本発明の第1の特徴において、前記再送制御手段は、前記データの初送のタイミングから一定時間が経過した後の任意のタイミングで、該データの再送用の無線リソースを割り当てるように構成されていてもよい。
【００１９】
本発明の第1の特徴において、前記スケジューリング情報生成手段は、前記固定的割り当てスケジューリングが行われている場合に、前記データの再送が行われる毎に、前記所定の移動局に対して、前記スケジューリング情報を生成して通知するように構成されていてもよい。
【００２０】
本発明の第1の特徴において、所定のタイミングでデータを送信する固定的割り当てスケジューリングを行うように構成されているスケジューリング手段と、前記固定的割り当てスケジューリングが行われる場合に、所定の移動局に対して、前記データを送信するＨＡＲＱにおけるプロセスを特定するプロセスナンバーを決定するように構成されているプロセスナンバー決定手段と、決定された前記プロセスナンバーを前記所定の移動局に対して通知するように構成されている通知手段とを具備してもよい。
【００２１】
本発明の第1の特徴において、前記通知手段は、ＲＲＣシグナリングにより、決定された前記プロセスナンバーを前記所定の移動局に対して通知するように構成されていてもよい。
【００２２】
本発明の第1の特徴において、前記通知手段は、ＭＡＣ  ｃｏｎｔｒｏｌ  ＰＤＵにより、決定された前記プロセスナンバーを前記所定の移動局に対して通知するように構成されていてもよい。
【００２３】
本発明の第1の特徴において、前記通知手段は、スケジューリング情報により、決定された前記プロセスナンバーを前記所定の移動局に対して通知するように構成されており、前記スケジューリング情報は、前記固定的割り当てスケジューリングが行われている場合に、前記所定の移動局に対して通知されるように構成されていてもよい。
【００２４】
本発明の第1の特徴において、前記通知手段は、前記固定的割り当てスケジューリングが開始される場合に、前記プロセスナンバーを前記所定の移動局に対して通知するように構成されていてもよい。
【００２５】
本発明の第1の特徴において、前記リソース割り当て情報は、前記所定のタイミングで前記所定の移動局に対して固定的に割り当てられる下りリンクにおける無線リソースを示してもよい。
【００２６】
本発明の第1の特徴において、前記リソース割り当て情報は、前記所定のタイミングで前記所定の移動局に対して固定的に割り当てられる上りリンクにおける無線リソースを示してもよい。
【００２７】
本発明の第２の特徴は、移動局であって、固定的割り当てスケジューリングが行われている場合に、基地局から送信されたスケジューリング情報を復号するように構成されているスケジューリング情報復号手段と、前記スケジューリング情報の復号結果に基づいて、所定のタイミングで前記基地局から送信された前記移動局宛ての下りリンクデータを受信するように構成されている受信手段とを具備し、前記スケジューリング情報は、前記固定的割り当てスケジューリングにおいて前記所定のタイミングで前記移動局に対して固定的に割り当てられる無線リソースを示すリソース割り当て情報を含むことを要旨とする。
【００２８】
本発明の第２の特徴において、前記スケジューリング情報は、前記固定的割り当てスケジューリングが行われている場合に、前記移動局に対して前記下りリンクデータを送信するＨＡＲＱにおけるプロセスを特定するプロセスナンバーを含み、前記受信手段は、前記固定的割り当てスケジューリングが行われている場合に、前記プロセスナンバーに基づいて、再送された前記下りリンクデータを検出するように構成されていてもよい。
【００２９】
本発明の第２の特徴において、誤りが検出された初送時の前記下りリンクデータと、再送された前記下りリンクデータとを合成するように構成されている合成手段を具備してもよい。
【００３０】
本発明の第３の特徴は、移動局であって、固定的割り当てスケジューリングが行われている場合に、基地局から送信されたスケジューリング情報を復号するように構成されているスケジューリング情報復号手段と、前記スケジューリング情報の復号結果に基づいて、所定のタイミングで前記基地局に対して上りリンクデータを受信するように構成されている送信手段とを具備し、前記スケジューリング情報は、前記固定的割り当てスケジューリングにおいて前記所定のタイミングで前記移動局に対して固定的に割り当てられる無線リソースを示すリソース割り当て情報を含むことを要旨とする。
【００３１】
本発明の第４の特徴は、通信制御方法であって、基地局と所定の移動局との間で、所定のタイミングでデータを送信する固定的割り当てスケジューリングを行う工程と、前記基地局が、前記所定の移動局に対して、スケジューリング情報を生成して通知する工程と、前記所定の移動局が、前記基地局から通知された前記スケジューリング情報を復号する工程と、前記所定の移動局が、前記スケジューリング情報の復号結果に基づいて、前記所定のタイミングで前記基地局との間で前記データの送受信を行う工程とを有し、前記スケジューリング情報は、前記固定的割り当てスケジューリングにおいて前記所定のタイミング
で前記所定の移動局に対して固定的に割り当てられる無線リソースを示すリソース割り当て情報を含むことを要旨とする。  
【発明の効果】
【００３２】
以上説明したように、本発明によれば、固定的割り当てスケジューリングと通常のスケジューリングとが併用された場合に、固定的割り当てスケジューリングが行われている場合であっても再送制御処理を行うことができる移動局、基地局及び通信制御方法を提供することができる。
【００３３】
また、本発明によれば、固定的割り当てスケジューリング期間毎に、当該移動局に対して固定的に割り当てられる無線リソースを変更することができる移動局、基地局及び通信制御方法を提供することができる。
【図面の簡単な説明】
【００３４】
【図１】図１は、同期ＨＡＲＱを示す説明図である。
【図２】図２は、非同期ＨＡＲＱを示す説明図である。
【図３】図３は、固定的割り当てスケジューリングに同期ＨＡＲＱを適用した場合の    送信タイミングとスケジューリング情報の割り当てを示す説明図である。
【図４】図４は、固定的割り当てスケジューリングに非同期ＨＡＲＱを適用した場合の送信タイミングとスケジューリング情報の割り当てを示す説明図である。
【図５】図５は、本発明の一実施例にかかる基地局を示す部分ブロック図である。
【図６】図６は、スケジューリング情報の一例を示す説明図である。
【図７】図７は、本発明の一実施例にかかる移動局を示す部分ブロック図である。
【図８】図８は、本発明の一実施例にかかる基地局の動作を示すフロー図である。
【図９】図９は、本発明の一実施例にかかる移動局の動作を示すフロー図である。
【発明を実施するための形態】
【００３５】
（本発明の第1の実施形態）
本発明の第1の実施形態について図面を参照して説明する。なお、本実施形態を説明するための全図において、同一機能を有するものに対しては同一符号を用い、繰り返しの説明については省略する。
【００３６】
以下、本発明の第1の実施形態に係る無線通信システムについて説明する。本実施形態に係る無線通信システムは、基地局１００と移動局２００とを備える。
【００３７】
最初に、同期ＨＡＲＱ（ｈｙｂｒｉｄ  ａｕｔｏｍａｔｉｃ  ｒｅｐｅａｔ  ｒｅｑｕｅｓｔ）及び非同期ＨＡＲＱについて説明する。
【００３８】
同期ＨＡＲＱは、データの初送タイミングから一定時間が経過した後、例えば、少なくとも受信側装置によって当該データに対するＡｃｋ/Ｎａｃｋが送信されてから一定時間が経過した後に、当該データに対して再送機会を割り当てる方法である。
【００３９】
かかる同期ＨＡＲＱでは、データの再送間隔が一定であるため、所定のタイミング（例えば、所定のサブフレーム）において、どのデータの再送が行われているかについて示す識別子が不要である。
【００４０】
一例として、図１に示すように、１無線フレームが、２０サブフレームにより構成されており、データの再送間隔が、最短で６サブフレームであると仮定した場合について説明する。
【００４１】
図１において、箱の中の数値（０〜５）は、ＨＡＲＱにおけるプロセスを特定するプロセスナンバーを示し、箱の上の数値（０〜１９）は、サブフレームナンバーを示す。
【００４２】
同期ＨＡＲＱでは、プロセスナンバーが「０」であるサブフレームで送信されたデータに対しては、受信側装置のプロセスナンバーが「０」であるサブフレームにおいてＡｃｋ/Ｎａｃｋが送信されてから一定時間が経過した後、例えば、サブフレームナンバーが「６」のサブフレームにおいて再送機会が割り当てられる。
【００４３】
しかし、例えば、サブフレームナンバーが「６」のサブフレームが、ＭＢＭＳ又はＴＤＤ（Ｔｉｍｅ  Ｄｉｖｉｓｉｏｎ  Ｄｕｐｌｅｘ）における上りリンク伝送に使用されている場合には、サブフレームナンバーが「６」のサブフレームを、上述のデータの再送に使用することができない。
【００４４】
この場合、サブフレームナンバーが「６」のサブフレームから一定時間が経過した後、すなわち、上述の再送間隔（６サブフレーム）が経過した後、例えば、サブフレームナンバーが「１２」のサブフレームにおいて、上述のデータに対して再送機会が割り当てられる。
【００４５】
このように、同期ＨＡＲＱでは、各データの再送タイミングが既知となるので、受信側装置に対して、所定のサブフレームにおいて、どのデータの再送が行われているのかについて明示的に通知する必要はない。
【００４６】
一方、非同期ＨＡＲＱは、データの初送タイミングから一定時間が経過した後の任意のタイミング、例えば、少なくとも受信側装置によってＡｃｋ/Ｎａｃｋが送信されてから一定時間が経過した後の任意のタイミングにおいて、当該データに対して再送機会を割り当てる方法である。
【００４７】
非同期ＨＡＲＱでは、同期ＨＡＲＱの場合と異なり、所定のタイミング（例えば、所定のサブフレーム）において、どのデータの再送が行われているかについて示す識別子（例えば、プロセスナンバー）が必要である。
【００４８】
一例として、図２に示すように、１無線フレームが、２０サブフレームにより構成されており、データの再送間隔が、６サブフレームであると仮定した場合について説明する。
【００４９】
図２において、箱の上の数値（０〜１９）は、サブフレームナンバーを示す。
【００５０】
非同期ＨＡＲＱでは、プロセスナンバーが「０」であるプロセスによって送信されたデータに対しては、かかるデータの初送タイミングから一定時間が経過した後の任意のサブフレーム、例えば、サブフレームナンバーが「６」のサブフレーム以降の任意のサブフレームにおいて、再送機会が割り当てられる。
【００５１】
しかし、例えば、サブフレームナンバーが「６」のサブフレームが、ＭＢＭＳ又はＴＤＤ（Ｔｉｍｅ  Ｄｉｖｉｓｉｏｎ  Ｄｕｐｌｅｘ）における上りリンク伝送に使用されている場合には、サブフレームナンバーが「６」のサブフレームを、上述のデータの再送に使用することができない。
【００５２】
この場合、サブフレームナンバーが「６」のサブフレーム以降のサブフレーム、例えば、サブフレームナンバーが「７」のサブフレームにおいて、かかるデータに対する再送機会が割り当てられる。
【００５３】
このように、非同期ＨＡＲＱでは、特定のプロセスによって送信されたデータが再送されるタイミング（サブフレーム）は既知ではなく、送信側装置では、所定のサブフレームにおいて、どのデータの再送が行われているかについて示すためのプロセスナンバーを通知する必要がある。
【００５４】
固定的割り当てスケジューリングが適用されている移動局に対する再送制御処理として、同期ＨＡＲＱを適用した場合について、図３を参照して説明する。
【００５５】
固定的割り当てスケジューリングが行われている場合、各固定的割り当てスケジューリング期間の任意のタイミング（例えば、最初のサブフレームＡ）で、各サブフレームにおいて無線リソースを固定的に割り当てる移動局を示すスケジューリング情報を通知するように構成されている。
【００５６】
固定的割り当てスケジューリング期間において、各サブフレームにおいて送信されたデータに対する再送用の無線リソースは、受信側装置の該当するサブフレームにおいてＡｃｋ/Ｎａｃｋが送信されてから一定時間（例えば、６サブフレーム）が経過した後の所定の再送間隔におけるタイミングで割り当てられる。
【００５７】
しかし、下りリンクでは、かかる再送用の無線リソースを割り当て可能なタイミングは、報知チャネル（ＢＣＨ）やＭＢＭＳ  Ｃｈａｎｎｅｌ（ＭＣＨ）による送信が可能なタイミングとの間で競合の可能性がある。
【００５８】
上述のように、同期ＨＡＲＱでは、予め決められたタイミングでしかデータの再送を行うことができないため、ＢＣＨやＭＣＨによる送信のタイミングとの間で競合した場合、かかるデータの再送において遅延が生じ、当該データの再送機会の設定において柔軟性に欠けるという問題がある。
【００５９】
なお、本発明は、図３の例に示すように、固定的割り当てスケジューリング期間が２０サブフレームである場合に限定されない。
【００６０】
一方、固定的割り当てスケジューリングが適用されている移動局に対する再送制御処理として、非同期ＨＡＲＱを適用した場合について、図４を参照して説明する。
【００６１】
固定的割り当てスケジューリングでは、各固定的割り当てスケジューリング期間の任意のタイミング（例えば、最初のサブフレームＡ）で、各サブフレームにおいて無線リソースを固定的に割り当てる移動局を示すスケジューリング情報を通知するように構成されている。
【００６２】
固定的割り当てスケジューリング期間において、各サブフレームにおいて送信されたデータに対する再送用の無線リソースは、当該データの初送タイミング（例えば、サブフレームＡ）から一定時間が経過した後、例えば、再送制御処理に必要な最低限の時間以降、図４の例では、サブフレームＡから６サブフレーム以降の任意のサブフレームにおいて割り当てられる。
【００６３】
このため、データの初送タイミングから一定期間が経過したタイミングが、ＢＣＨやＭＣＨによるデータの送信タイミングと競合した場合あっても、同期ＨＡＲＱの場合のような遅延は生じない。
【００６４】
そこで、本実施形態においては、ある無線ベアラ（ＱｏＳを提供可能な論理的なチャネル）に対して、所定のタイミングでデータを送信する固定的割当てスケジューリングが適用されている移動局に対する再送制御処理として、非同期ＨＡＲＱを適用した場合について説明する。
【００６５】
なお、本発明は、図４の例に示すように、固定的割り当てスケジューリング期間が２０サブフレームである場合に限定されない。
【００６６】
本実施形態に係る基地局１００について、図５を参照して説明する。
【００６７】
図５に示すように、本実施形態に係る基地局１００は、受信部１０２と、ＨＡＲＱ送達確認応答判定部１０４と、ＭＡＣ制御部１０６と、プロセスナンバー決定手段としてのＲＲＣエンティティ１０８と、ＲＬＣエンティティ１１０と、スケジューリング手段としてのスケジューラ１１２と、ＨＡＲＱエンティティ１１４と、スケジューリング情報生成手段としてのスケジューリング情報生成部１１６と、通知手段としての送信部１１８とを備える。また、スケジューラ１１２は、ＨＡＲＱ制御部１１２１を備える。
【００６８】
ＲＲＣエンティティ１０８は、ＨＡＲＱ制御が行われる場合に、各移動局に対して使用するプロセスナンバーを決定し、決定したプロセスナンバーを、ＲＬＣエンティティ１１０を介して、ＲＲＣシグナリングにより、各移動局に通知するように構成されている。
【００６９】
このように構成することにより、ＨＡＲＱが行われる場合に、各移動局に対して使用するプロセスナンバーを予約（リザーブ）することができる。
【００７０】
例えば、音声ベアラに対して、プロセスナンバー＃５のプロセスだけを割り当て続けるようにした場合、どのプロセスナンバーのプロセスを使用して、ＨＡＲＱ制御を行うのかを通知する必要が無くなる。すなわち、受信側装置では、プロセスナンバー＃５のプロセスで、かかるデータが再送されることが分かる。
【００７１】
ＲＬＣエンティティ１１０は、入力された上位層データを分割或いは連結して、スケジューラ１１２に入力するように構成されている。
【００７２】
ＨＡＲＱ送達確認応答判定部１０４は、移動局２００から送信されて受信部１０２によって受信された共有チャネル用データに対する送達確認応答（Ａｃｋ/Ｎａｃｋ）を受信するように構成されている。
【００７３】
ＨＡＲＱ送達確認応答判定部１０４は、入力された送達確認応答（Ａｃｋ/Ｎａｃｋ）に基づいて、送信済みのデータに対して再送を行うか否かについて判断し、その結果を示すＨＡＲＱ送達確認応答判定信号をスケジューラ１１２に入力する。
【００７４】
スケジューラ１１２は、入力された上位層データから、共有チャネルを介して送信するデータ（共有チャネル用データ）を生成するように構成されている。
【００７５】
また、スケジューラ１１２は、ＴＴＩ毎に、例えば、無線チャネル状態の良い移動局に対して、送信機会（無線リソース）の割り当てを行うスケジューリング（通常スケジューリング）を行うように構成されている。
【００７６】
また、スケジューラ１１２は、所定の条件に基づいて、固定的割当てスケジューリングを行うように遷移すると判断する。
【００７７】
スケジューラ１１２は、固定的割り当てスケジューリングを行うように遷移すると判断した場合、スケジューリング情報生成部１１６に対して、スケジューリング情報を生成するように命令する。
【００７８】
また、スケジューラ１１２は、ＨＡＲＱ送達確認応答判定部１０４から入力されたＨＡＲＱ送達確認応答判定信号が再送命令である場合、スケジューリング情報生成部１１６に対して、スケジューリング情報を生成するように命令する。
【００７９】
スケジューラ１１２は、生成した共有チャネル用データをＨＡＲＱエンティティ１１４にバッファリングし、所定の移動局に対して割り当てた送信タイミング（送信機会）で、かかる共有チャネル用データを、送信部１１８を介して、当該所定の移動局に対して送信するように構成されている。
【００８０】
スケジューラ１１２は、スケジューリング情報が当該所定の移動局に送信された後、ＨＡＲＱエンティティ１１４にバッファリングされている共有チャネル用データを、送信部１１８を介して再送信するように構成されている。
【００８１】
一方、スケジューラ１１２は、入力されたＨＡＲＱ送達確認応答判定信号が再送命令でなく、ＨＡＲＱエンティティ１１４に未送信の共有チャネル用データがバッファリングされている場合、バッファリングされている共有チャネル用データを、所定の移動局に対して割り当てた送信タイミングで、送信部１１８を介して、当該所定の移動局に対して送信するように構成されている。
【００８２】
また、スケジューラ１１２は、ある固定的割り当てスケジューリング期間が終了し、別の固定的割り当てスケジューリング期間が開始する場合には、スケジューリング情報の再通知が必要であると判断する。
【００８３】
スケジューリング情報生成部１１６は、スケジューラ１１２による命令に従って、スケジューリング情報を生成するように構成されている。
【００８４】
例えば、スケジューリング情報生成部１１６は、図６に示すような情報の少なくとも一部を含むスケジューリング情報を生成するように構成されている。
【００８５】
図６の例では、スケジューリング情報は、カテゴリ１として、「ユーザＩＤ（ＵＥ  ＩＤ）」と、「リソース割り当て情報（Ｒｅｓｏｕｒｃｅ  ａｓｓｉｇｎｍｅｎｔ）」と、「サブフレーム数（Ｄｕｒａｔｉｏｎ  ａｓｓｉｇｎｍｅｎｔ）」と、「固定的割り当てスケジューリング開始フラグ（Ｐｅｒｓｉｓｔｅｎｔ  ｓｔａｒｔ  ｆｌａｇ）」とを含み、カテゴリ２として、「マルチアンテナ関連情報（Ｍｕｌｔｉ-ａｎｔｅｎｎａ  ｒｅｌａｔｅｄ  ｉｎｆｏ）」と、「変調方式情報（Ｍｏｄｕｌａｔｉｏｎ  ｓｃｈｅｍｅ）」と、「ペイロードサイズ（Ｐａｙｌｏａｄ  ｓｉｚｅ）」とを含み、カテゴリ３として
、「プロセスナンバー（Ｐｒｏｃｅｓｓ  ＃）」と、「冗長ビットの種類を示す情報（ＲＶ（Ｒｅｄｕｎｄａｎｃｙ  Ｖｅｒｓｉｏｎ））」と、「ニューデータインジケーション（ＮＤＩ）」とを含む。
【００８６】
ここで、「ユーザＩＤ」は、所定の移動局を示す情報である。なお、固定的割り当てスケジューリング期間は、フレーム単位であってもよいし、サブフレーム単位であってもよい。
【００８７】
「リソース割り当て情報」は、固定的割り当てスケジューリングにおいて所定のタイミングで所定の移動局に対して割り当てられる無線リソースを示す情報である。ここで、無線リソースは、複数サブキャリア群によって定義されるリソースブロック（或いは、リソースユニット）と呼ばれる単位で指定されるものとする。
【００８８】
「サブフレーム数」は、かかるスケジューリング情報によって割り当てられる無線リソースの有効期間（例えば、サブフレーム単位）を示す情報である。「サブフレーム数」として、有効期間が無期限であることを示す識別子が通知されてもよい。
【００８９】
「固定的割り当てスケジューリング開始フラグ」は、固定的割り当てスケジューリングの開始及び停止を通知するための情報である。
【００９０】
「マルチアンテナ関連情報」は、ＭＩＭＯ（Ｍｕｌｔｉ-Ｉｎｐｕｔ-Ｍｕｌｔｉ-Ｏｕｔｐｕｔ）送信を行う際に必要な制御情報である。
【００９１】
「変調方式情報」は、かかるスケジューリング情報によって割り当てられる無線リソースにおいて用いられる変調方式を示す情報である。
【００９２】
「ペイロードサイズ」は、レイヤ１（Ｌ１）からレイヤ２（Ｌ２）に転送される情報及びレイヤ２（Ｌ２）からレイヤ１（Ｌ１）に転送される情報の単位（トランスポートブロックサイズ）を示す情報である。
【００９３】
「プロセスナンバー」は、かかるスケジューリング情報によって割り当てられる無線リソースによって送信されるデータに対して割り当てられたＨＡＲＱにおけるプロセスを特定するための情報である。
【００９４】
「冗長ビットの種類を示す情報」は、ＨＡＲＱ制御に関連して、冗長ビットの送信方法（パンクリャリング情報）を通知するために使用される情報である。
【００９５】
「ＮＤＩ」は、かかるスケジューリング情報によって割り当てられる無線リソースによって送信されるデータが、初送であるか否かについて通知するために使用される情報である。
【００９６】
本実施形態においては、通常スケジューリングから固定的割り当てスケジューリングに遷移する場合に、スケジューリング情報生成部１１６が、上述した全ての情報を含むスケジューリング情報を生成する場合について説明する。
【００９７】
スケジューリング情報生成部１１６は、生成したスケジューリング情報を、送信部１１８を介して移動局２００に通知するように構成されている。
【００９８】
例えば、スケジューリング情報生成部１１６は、Ｌ１/Ｌ２制御チャネル（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して、スケジューリング情報を、移動局２００に通知するように構成されていてもよい。
【００９９】
また、スケジューリング情報生成部１１６は、無線ベアラを設定するタイミングで、スケジューリング情報を通知するように構成されていてもよい。
【０１００】
例えば、スケジューリング情報生成部１１６は、ある無線ベアラに対して固定的割り当てスケジューリングが設定された場合に、スケジューリング情報を通知するように構成されていてもよい。
【０１０１】
また、スケジューリング情報生成部１１６は、スケジューリング情報により、プロセスナンバーを、所定の移動局に対して通知するように構成されていてもよい。ここで、かかるプロセスナンバーは、固定的割り当てスケジューリングが行われている場合に、所定の移動局に対して、データを送信するＨＡＲＱにおけるプロセスを特定するものである。
【０１０２】
また、ＭＡＣ制御部１０６は、ＲＲＣエンティティ１０８により決定されたプロセスナンバーを、ＭＡＣ  ｃｏｎｔｒｏｌ  ＰＤＵとして、所定の移動局に対して通知するように構成されていてもよい。
【０１０３】
このように構成することにより、ＨＡＲＱ制御が行われる場合に使用されるプロセスナンバーを予約（リザーブ）することができる。
【０１０４】
例えば、音声ベアラに対して、プロセスナンバー＃５のプロセスだけを割り当て続けるようにした場合、どのプロセスナンバーを使用して、ＨＡＲＱ制御を行うのかを通知する必要が無くなる。すなわち、受信側装置では、プロセスナンバー＃５のプロセスで、かかるデータが再送されることが分かる。また、ＲＲＣによるシグナリングを無くすことができる。
【０１０５】
また、ＭＡＣ制御部１０６は、ＨＡＲＱ制御が行われる場合に、各移動局に対して使用するプロセスナンバーを決定し、決定したプロセスナンバーを、各移動局に対して通知するように構成されていてもよい。例えば、ＭＡＣ制御部１０６は、決定したプロセスナンバーを、ＭＡＣ  ｃｏｎｔｒｏｌ  ＰＤＵとして、各移動局に対して通知するように構成されている。
【０１０６】
上述したプロセスナンバーのリザーブは、例えば、固定的割り当てスケジューリングが開始される場合に行われる。
【０１０７】
次に、本実施形態に係る移動局２００について、図７を参照して説明する。
【０１０８】
本実施形態に係る移動局２００は、受信部２０２と、ＨＡＲＱエンティティ２０４と、スケジューリング情報復号手段としてのスケジューリング情報復号部２０６と、共有チャネル復号部２０８と、ＲＬＣエンティティ２１０と、ＲＲＣエンティティ２１２と、合成手段としてのＭＡＣ制御部２１４と、ＨＡＲＱ送達確認応答生成部２１６と、送信部２１８を備える。
【０１０９】
受信部２０２は、基地局１００により送信されたスケジューリング情報を受信して、スケジューリング情報復号部２０６に入力するように構成されている。また、受信部２０２は、基地局１００から送信された共有チャネル用データを受信して、ＨＡＲＱエンティティ２０４にバッファリングするように構成されている。
【０１１０】
スケジューリング情報復号部２０６は、受信部２０２により入力されたスケジューリング情報を復号し、復号されたスケジューリング情報を共有チャネル復号部２０８に入力するように構成されている。
【０１１１】
共有チャネル復号部２０８は、スケジューリング情報復号部２０６により入力されたスケジューリング情報に基づいて、ＨＡＲＱエンティティ２０４にバッファリングされた共有チャネル用データの復号を行うように構成されている。
【０１１２】
ここで、共有チャネル復号部２０８は、ＣＲＣ（Ｃｙｃｒｉｃ  Ｒｅｄｕｎｄａｎｃｙ  Ｃｈｅｃｋ）判定に基づいて、共有チャネル用データの復号ができた場合には、Ａｃｋを基地局１００に通知し、共有チャネル用データの復号ができなかった場合には、Ｎａｃｋを基地局１００に通知するように、ＨＡＲＱ送達確認応答生成部２１６に命令する。
【０１１３】
共有チャネル復号部２０８は、復号された共有データチャネル用データを、ＲＬＣエンティティ２１０に入力するように構成されている。
【０１１４】
ＲＬＣエンティティ２１０は、共有チャネル復号部２０８により入力された共有チャネル用データからＰＤＵ（Ｐｒｏｔｏｃｏｌ  Ｄａｔａ  Ｕｎｉｔ）を組み立て、上位層に送信するように構成されている。
【０１１５】
また、ＲＬＣエンティティ２１０は、ＲＲＣシグナリングにより、ＨＡＲＱにおけるプロセスを特定するプロセスナンバーが通知された場合、かかるプロセスナンバーを、ＲＲＣエンティティ２１２を介してＭＡＣ制御部１０６に入力するように構成されている。
【０１１６】
ＭＡＣ制御部２１４は、入力されたプロセスナンバーを、リザーブする、すなわち、一時的に記憶するように構成されている。
【０１１７】
また、ＭＡＣ制御部２１４は、入力されたプロセスナンバーに基づいて、ＨＡＲＱエンティティ２０４及び受信部２０２を制御するように構成されている。
【０１１８】
例えば、ＭＡＣ制御部２１４は、ＨＡＲＱエンティティ２０４に格納されている誤りが検出されたデータ（初送時の共有チャネル用データ（下りリンクデータ））と、入力されたプロセスナンバーのプロセスによって再送されたデータとを合成するように構成されている。
【０１１９】
ＨＡＲＱ送達確認応答生成部２１６は、共有チャネル復号部２０８による命令に従って、ＨＡＲＱにおける送達確認応答を生成して、送信部２１８を介して、基地局１００に対して送信するように構成されている。
【０１２０】
次に、本実施形態に係る無線通信システムの動作について説明する。
【０１２１】
第1に、図８を参照して、本実施形態に係る基地局１００の動作について説明する。
【０１２２】
ステップＳ８０２において、スケジューラ１１２は、固定的割り当てスケジューリングを開始する。
【０１２３】
例えば、スケジューラ１１２は、音声通信を開始する際に、所定の無線ベアラに対して固定的割り当てスケジューリングを開始してよいことを通知する。
【０１２４】
また、スケジューラ１１２は、通常スケジューリングが行われている期間において、固定的割り当てスケジューリングを行うことを示すシグナリングを行うことにより、固定的割り当てスケジューリングが行われることを明示的に通知するようにしてもよい。
【０１２５】
ステップＳ８０４において、スケジューラ１１２は、所定の移動局２００に対する送信処理を開始する。
【０１２６】
ステップＳ８０６において、スケジューラ１１２は、固定的割り当てスケジューリング期間において、次のサブフレームが、所定の移動局２００に対して固定的に割り当てられているサブフレーム（割り当てサブフレーム）であるか否かについて判断する。
【０１２７】
すなわち、スケジューラ１１２は、次の送信タイミングが、所定の移動局２００に対して固定的に割り当てられている送信タイミング（すなわち、固定的割り当てスケジューリング期間内の送信タイミング）であるか否かについて判断する。
【０１２８】
例えば、当該所定の移動局２００と無線基地局１００との間の無線ベアラの設定時に、固定的割り当てスケジューリング期間において、当該所定の移動局２００に対して固定的に割り当てられるサブフレーム（送信タイミング）が決定されるものとする。
【０１２９】
所定の移動局２００に対して固定的に割り当てられているサブフレームであると判断された場合（ステップＳ８０６：ＹＥＳ）、ステップＳ８０８において、スケジューラ１１２は、かかるサブフレームにおいて、ＨＡＲＱエンティティ１１４においてバッファリングされている共有チャネル用データを、送信部１１８を介して送信する。
【０１３０】
一方、所定の移動局２００に対して固定的に割り当てられているサブフレームでないと判断された場合（ステップＳ８０６：ＮＯ）、ステップＳ８１０において、スケジューラ１１２のＨＡＲＱ制御部１１２１は、所定の移動局２００に対して再送すべきデータが存在するか否かについて判断する。
【０１３１】
再送すべきデータが存在しないと判断された場合（ステップＳ８１０：ＮＯ）、本動作は、ステップＳ８０４に戻る。
【０１３２】
一方、再送すべきデータが存在すると判断された場合（ステップＳ８１０：ＹＥＳ）、ステップＳ８１２において、ＨＡＲＱ制御部１１２１は、かかる再送すべきデータに対する送信機会の割り当てが可能であるか否かについて判断する。
【０１３３】
送信機会の割り当てが可能でないと判断された場合（ステップＳ８１２：ＮＯ）、本動作は、ステップＳ８０４に戻る。
【０１３４】
一方、送信機会の割り当てが可能であると判断された場合（ステップＳ８１２：ＹＥＳ）、ステップＳ８１４において、ＨＡＲＱ制御部１１２１は、スケジューリング情報生成部１１６に対して、スケジューリング情報を送信するように命令する。
【０１３５】
そして、スケジューリング情報生成部１１６は、ＨＡＲＱ制御部１１２１による命令に従って、スケジューリング情報を生成して、送信部１１８を介して、かかるスケジューリング情報を所定の移動局２００に対して送信する。
【０１３６】
ステップＳ８１６において、ＨＡＲＱ制御部１１２１は、ＨＡＲＱエンティティ１１４にバッファリングされている共有チャネル用データのうち、初送時に誤りが検出されたデータを、送信部１１８を介して所定の移動局２００に対して再送する。
【０１３７】
第２に、図９を参照して、本実施形態に係る移動局２００の動作について説明する。
【０１３８】
ステップＳ９０２において、移動局２００において、固定的割り当てスケジューリングが開始され、ステップＳ９０４において、受信部２０２は、基地局１００からの共有チャネル用データ（下りリンクデータ）に対する受信処理を開始する。
【０１３９】
ステップＳ９０６において、共有チャネル復号部２０８は、次の受信タイミングが、上述の割り当てタイミングとして設定されているタイミングであるか否かについて判断する。
【０１４０】
割り当てタイミングであると判断された場合（ステップＳ９０６：ＹＥＳ）、ステップＳ９０８において、受信部２０２は、共有チャネル用データを受信し、受信した共有チャネル用データを、ＨＡＲＱエンティティ２０４にバッファリングする。
【０１４１】
ステップＳ９１０において、共有チャネル復号部２０８は、ＨＡＲＱエンティティ２０４にバッファリングされている共有チャネル用データを復号する。
【０１４２】
一方、割り当てタイミングではないと判断された場合（ステップＳ９０６：ＮＯ）、ステップＳ９１２において、受信部２０２は、再送待ちであるか否かについて判断する。
【０１４３】
再送待ちでないと判断した場合（ステップＳ９１２：ＮＯ）、本動作は、ステップＳ９０４に戻る。なお、再送待ちでないと判断した場合（ステップＳ９１２：ＮＯ）であっても、他の無線ベアラが割り当てられる可能性のある場合には、本動作は、ステップＳ９１６に進む。
【０１４４】
一方、再送待ちであると判断した場合（ステップＳ９１２：ＹＥＳ）、ステップＳ９１４において、受信部２０２は、スケジューリング情報を受信する。
【０１４５】
そして、受信部２０２は、受信したスケジューリング情報を、スケジューリング情報復号部２０６に入力し、スケジューリング情報復号部２０６は、入力されたスケジューリング情報を復号して共有チャネル復号部２０８に入力する。
【０１４６】
ステップＳ９１６において、ＭＡＣ制御部２１４は、移動局２００に対する無線リソースの割り当てがあるか否かについて、すなわち、移動局２００に対する共有チャネル用データの送信機会が割り当てられたタイミングがあるか否かについて判断する。
【０１４７】
割り当てがあると判断されない場合（ステップＳ９１６：ＮＯ）、本動作は、ステップＳ９０４に戻る。
【０１４８】
一方、割り当てがあると判断した場合（ステップＳ９１６：ＹＥＳ）、ステップＳ９１８において、ＭＡＣ制御部２１４は、受信部２０２に対して、共有チャネル用データを受信するように命令する。その結果、受信部２０２は、共有チャネル用データを受信し、受信した共有チャネル用データを、ＨＡＲＱエンティティ２０４に入力する。
【０１４９】
ステップＳ９２０において、ＭＡＣ制御部２１４は、ＨＡＲＱエンティティ２０４にバッファリングされている共有チャネル用データのうち、誤りが検出されたデータと再送されたデータとを合成するＨＡＲＱ処理を行う。
【０１５０】
本実施形態に係る無線通信システムによれば、通常スケジューリングから固定的割り当てスケジューリングへ遷移するタイミング、例えば、固定的割り当てスケジューリングの開始時において、所定の移動局２００に対して、スケジューリング情報を通知することができる。
【０１５１】
また、本実施形態に係る無線通信システムによれば、所定の移動局２００と基地局１００との間で無線ベアラを設定するタイミングで、所定の移動局２００に対して、スケジューリング情報を通知することができる。
【０１５２】
また、本実施形態に係る無線通信システムによれば、基地局１００は、固定的割り当てスケジューリングにおける任意のタイミングで、スケジューリング情報を通知することができ、移動局２００は、固定的割り当てスケジューリングが行われている場合に、任意のタイミングで、再送された共有チャネル用データ（下りリンク用データ）を受信することができる。
【０１５３】
（変更例１）
上述の第１の実施形態では、スケジューリング情報に含まれるリソース割り当て情報が、所定のタイミングで所定の移動局２００に対して固定的に割り当てられる下りリンクにおける無線リソースを示す場合の例について説明したが、本発明は、かかる例に限定されることは無く、スケジューリング情報に含まれるリソース割り当て情報が、所定のタイミングで所定の移動局２００に対して固定的に割り当てられる上りリンクにおける無線リソースを示す場合の例についても適用可能であることは言うまでも無い。
【０１５４】
かかる変更例１によれば、上りリンク通信においても、固定的割り当てスケジューリングを実現することが可能である。
【０１５５】
（変更例２）
変更例２は、本発明を、ＶｏＩＰ通信のように、通信中の無線ベアラにおいて、有音区間と無音区間とが存在する通信に対して適用する場合の例である。
【０１５６】
例えば、変更例２において、かかる有音区間を、上述の固定的割り当てスケジューリング期間とし、かかる固定的割り当てスケジューリング期間（すなわち、有音区間）が始まる度に、上述のスケジューリング情報を通知することによって、当該無線ベアラに関連する移動局に対して固定的に割り当てる無線リソースを変更するように構成してもよい。
【０１５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2011199911.tif 000003
【図２】
2011199911.tif 000004
【図３】
2011199911.tif 000005
【図４】
2011199911.tif 000006
【図５】
2011199911.tif 000007
【図６】
2011199911.tif 000008
【図７】
2011199911.tif 000009
【図８】
2011199911.tif 000010
【図９】
2011199911.tif 000011
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
所定のタイミングでデータを送信する固定的割り当てスケジューリングを行うように構成されているスケジューリング手段と、
前記固定的割り当てスケジューリングが行われている場合に、前記データに対して、非同期ＨＡＲＱを行うように構成されている再送制御手段と、
前記固定的割り当てスケジューリングが行われる場合に、前記所定の移動局に対して、前記データを送信するＨＡＲＱにおけるプロセスを特定するプロセスナンバーを決定するように構成されているプロセスナンバー決定手段と、
決定された前記プロセスナンバーを前記所定の移動局に対して通知するように構成されている通知手段とを具備し、
前記通知手段は、前記固定的割り当てスケジューリングが開始される場合に、ＲＲＣシグナリングにより、決定された前記プロセスナンバーを前記所定の移動局に対して通知するように構成されていることを特徴とする基地局。
【請求項２】
基地局と所定の移動局との間で、所定のタイミングでデータを送信する固定的割り当てスケジューリングを行う工程Ａと、
前記固定的割り当てスケジューリングが行われている場合に、前記基地局と前記所定の移動局との間で、前記データに対して、非同期ＨＡＲＱを行う工程Ｂと、
前記固定的割り当てスケジューリングが行われる場合に、前記基地局が、前記所定の移動局に対して、前記データを送信するＨＡＲＱにおけるプロセスを特定するプロセスナンバーを決定する工程Ｃと、
前記基地局が、決定された前記プロセスナンバーを前記所定の移動局に対して通知する工程Ｄとを有し、
前記工程Ｄにおいて、前記基地局は、前記固定的割り当てスケジューリングが開始される場合に、ＲＲＣシグナリングにより、決定された前記プロセスナンバーを前記所定の移動局に対して通知することを特徴とする通信制御方法。